(57)【要約】【課題】給水ホースや内部給水ホースの接続部から水漏れが発生しても、食器洗い機本体より漏水が外部に流れ出るのを防止することができる食器洗い機を提供する。【解決手段】給水ホース３と内部給水ホース９とを接続するホース接続具２１のホースジョイント取付板部２２に形成された雄ネジ２６の周囲に凸部２７を設け、その凸部２７に上面側と下面側を貫通する孔２８を設けたものであり、螺合部から水漏れが発生しても、食器洗い機本体１７から外部に漏水することを防止することができ、見えない場所で発生する漏水による被害をなくすることが可能となる。【選択図】図１
2010035677.tif 000002
【特許請求の範囲】
【請求項１】
食器を収納して洗浄する洗浄槽と、前記洗浄槽を内設した食器洗い機本体と、前記洗浄槽への給水を制御し前記食器洗い機本体の外に配置された電磁給水弁と、前記食器洗い機本体内より前記電磁給水弁に通電するためのコードと、前記食器洗い機本体内に取り付けた漏水を検知する検知手段と、前記食器洗い機本体背面に固着されたホース接続具と、一端は前記電磁給水弁と水密に接続され他端は前記ホース接続具内でホースジョイント取付板部に水密に接続される給水ホースと、前記ホースジョイント取付板部に形成された雄ネジに螺合されるナット部材と、前記ナット部材と前記ホースジョイント取付板部に形成された雄ネジによって螺合されるホースジョイントと、前記ホースジョイントに水密に一端を接続され他端は前記洗浄槽と水密に接続した内部給水ホースと、前記給水ホースの外側を覆うように前記電磁給水弁と前記ホース接続具に外周を水密に取り付けられた導水管状体とを備え、前記ホースジョイント取付板部に形成された前記雄ネジの周囲に凸部を設け、前記凸部にその上面側と下面側を貫通する孔を設ける構成とした食器洗い機。
【請求項２】
ホースジョイント取付板部を樹脂ヒンジでホース接続具と一体に構成した請求項１記載の食器洗い機。
【請求項３】
ホース接続具の下方部分を構成する筒部を樹脂ヒンジで接続された筒部本体とカバー部で構成し、ホースジョイント取付板部に形成した孔は前記ホースジョイント取付板部より下方に突出させて設けたガイドを貫通するよう形成し、前記ガイドの下端を前記カバー部の上端より下方に位置する構成とした請求項１または２記載の食器洗い機。
【請求項４】
食器洗い機本体内より電磁給水弁に通電するためのコードは、給水ホースと導水管状体との間を通し、ホースジョイント取付板部に形成した孔は、給水ホース３に対して前記コードが引き回される側と反対側に設け、前記コードの前記食器洗い機本体側への屈曲位置を前記孔の下端より上方にする構成とした請求項１〜３のいずれか１項記載の食器洗い機。
【発明の詳細な説明】
【技術分野】
【０００１】
本発明は、洗浄槽内に設置された食器類に電磁給水弁や給水ホースによって水道水を洗浄槽内に供給して、食器類を洗浄する食器洗い機に関するものである。
【背景技術】
【０００２】
従来の食器洗い機について図を用いて説明する。食器洗い機本体から引き出された給水配管に接続される給水ホースおよび排水配管に接続される排水ホースの前記給水ホースの給水配管近傍に電磁給水弁を配設するとともに、少なくとも給水ホース側の食器洗い機本体内から前記給水配管までに存在する食器洗い機およびその設置に必要な構成要素を、水密構造で一端が食器洗い機本体内に開放された導水管状体内に収納している（例えば、特許文献１参照）。
【０００３】
上記特許文献１に開示された食器洗い機の構成について図９を用いて説明する。食器洗い機本体１から引き出された給水配管２に接続される給水ホース３および排水配管４に接続される排水ホース５の前記給水ホース３の給水配管２近傍に電磁給水弁６を配設するとともに、少なくとも給水ホース３側の食器洗い機本体１内から前記給水配管２までに存在する食器洗い機およびその設置に必要な構成要素を水密構造で一端が食器洗い機本体１内に開放された導水管状体７に収納している。
【０００４】
上記構成により、食器洗い機本体１から引き出された給水ホース３の給水配管２近傍に電磁給水弁６を配しているので、給水時以外でも電磁給水弁６より下流側に水流や水圧が加わらず、仮に漏水箇所があっても漏水は最小限に抑えられるようになっている。更に、少なくとも給水ホース３を含めて食器洗い機本体１内から給水配管２までの間に存在する構成要素を含めて導水管状体７内に収納しているので、漏水が発生した場合でも、漏水した水は導水管状体７内に溜められるか、導水管状体７の食器洗い機本体１内に開放された端部から食器洗い機本体１内に流入するようになっている。
【０００５】
さらに、上記特許文献１に開示された食器洗い機と同様の構成を有し、給水ホースと食器洗い機本体との接続部に特徴ある構成を有する別の従来の食器洗い機について図を用いて説明する。この食器洗い機の給水ホースと食器洗い機本体との接続部は、ホースジョイント収納部が給水ホース端固定部の上方位置に設けられ、該ホースジョイント収納部の給水ホース端固定位置に近接した位置に収納溝が形成され、さらに、給水ホース端固定カバー部上部の収納溝に対向する位置に当接板が立設されており、前記収納溝にホースジョイントを保持したホースジョイント取付板が挿入され、前記給水ホース端固定カバー部が前記給水ホース固定部に閉止されたときに前記当接板がホースジョイント取付板を押圧する構成となっている（例えば、特許文献２参照）。
【０００６】
上記特許文献２に開示された食器洗い機の構成について図１０を用いて説明する。
【０００７】
給水ホース３は食器洗い機（図示せず）内に固着されるホース接続具８内で内部給水ホース９と水密に接続される。ホースジョイント１０は、給水ホース３と内部給水ホース９を接続するためのものであり、ホースジョイント取付板１１の上方に雄ネジ部１２が一体に設けられ、内部給水ホース９が接続される基端側が、ナット部材１３により雄ネジ部１２に螺合されるとともに、ホースジョイント取付板１１の下方に給水ホース３が接続される直管部１４が一体に設けられている。ホース接続具８には、ホースジョイント取付板１１の収納溝１５が形成され、収納溝１５にホースジョイント１０を保持したホースジョイント取付板１１が挿入される構成となっている。
【特許文献１】特開２００７−２０２８７５号公報
【特許文献２】特開２００８−７９９１６号公報
【発明の開示】
【発明が解決しようとする課題】
【０００８】
しかしながら、上記特許文献１に開示された従来の食器洗い機では、少なくとも給水ホース３を含めて食器洗い機本体１内から給水配管２までの間に存在する構成要素を含めて導水管状体７内に収納しているので、漏水が発生した場合でも、漏水した水は導水管状体７内に溜められるか、導水管状体７の食器洗い機本体１内に開放された端部から食器洗い機本体１内に流入するようになっているのであるが、給水ホース３の食器洗い機本体１内での接続部を開示するものではなく、接続部には導水管状体７がないことから、給水ホース３の食器洗い機本体１内での接続が不十分な場合は、接続部から発生した漏水が導水管状体表面７ａを伝わって食器洗い機本体１から外に流れ出す恐れがあるといった課題を有していた。
【０００９】
また、上記特許文献２に開示された従来の食器洗い機では、ホースジョイント取付板１１はホース接続具８と分離した別部品となっていた。したがって、金型が別々になり金型材料も多く必要となったり、それぞれの部品で条件出しや成型時に余分な材料が使用され、省資源的にも不利なものとなっていた。
【００１０】
本発明は、上記従来の課題を解決するもので、食器洗い機本体内で給水ホースの接続箇所から発生した漏水が導水管状体などを伝わって漏水が食器洗い機本体から流出することを防止して信頼性の高い食器洗い機を提供するとともに、省資源的に有利な食器洗い機を提供することを目的とする。
【課題を解決するための手段】
【００１１】
上記目的を達成するために本発明に係わる食器洗い機は、食器を収納して洗浄する洗浄槽と、前記洗浄槽を内設した食器洗い機本体と、前記洗浄槽への給水を制御し前記食器洗い機本体の外に配置された電磁給水弁と、前記食器洗い機本体内より前記電磁給水弁に通電するためのコードと、前記食器洗い機本体内に取り付けた漏水を検知する検知手段と、前記食器洗い機本体背面に固着されたホース接続具と、一端は前記電磁給水弁と水密に接続され他端は前記ホース接続具内でホースジョイント取付板部に水密に接続される給水ホースと、前記ホースジョイント取付板部に形成された雄ネジに螺合されるナット部材と、前記ナット部材と前記ホースジョイント取付板部に形成された雄ネジによって螺合されるホースジョイントと、前記ホースジョイントに水密に一端を接続され他端は前記洗浄槽と水密に接続した内部給水ホースと、前記給水ホースの外側を覆うように前記電磁給水弁と前記ホース接続具に外周を水密に取り付けられた導水管状体とを備え、前記ホースジョイント取付板部に形成された前記雄ネジの周囲に凸部を設け、前記凸部にその上面側と下面側を貫通する孔を設ける構成としたことを特徴とする。
【００１２】
上記構成によれば、食器洗い機本体背面に固着されたホース接続具から外部に引き出された給水ホースの給水配管近傍に電磁給水弁を配しているので、給水時以外では電磁給水弁より下流側に水流や水圧は加わらない。更に、食器洗い機本体背面に固着されたホース接続具から電磁給水弁までの給水ホースを導水管状体内に収容しているので、食器洗い機の設置工事における作業不備に伴う原因を含めた漏水が発生した場合でも、漏水した水は導水管状体の中に溜められ、漏水量が所定量を越えると導水管状体に導かれて食器洗い機本体内に流れ落ちていくことになる。
【００１３】
さらに、給水ホースがホースジョイント部に水密に接続され内部給水ホースがホースジョイントに水密に接続され、当該ホースジョイントをナット部材に保持し、当該ナット部
材をホースジョイント取付板部に設けた雄ネジに螺合することにより、給水ホースと内部給水ホースが接続されることになる。もしナット部材を雄ネジに螺合する作業が不十分であったり、雄ネジやナット部材が不良で、螺合部から水漏れが発生しても、漏水はホースジョイント取付板部に設けた凸部内に溜められ、さらに漏水は凸部内に設けた孔からホース接続具内に流れ落ちていき、外周をホース接続具に水密に接続された導水管状体の中に溜められるか、漏水量が所定量を越えると導水管状体に導かれて食器洗い機本体内に流れ落ちていくことになる。食器洗い機本体内に流れ落ちた漏水は検知手段で使用者に知らせることができ、給水ホースと内部給水ホースの接続に不備があっても、導水管状体を伝わって食器洗い機本体から外部に漏水することを防止することができ、より安心な食器洗い機となる。
【発明の効果】
【００１４】
本発明の食器洗い機は、給水ホースや内部給水ホースの接続部から水漏れが発生しても、食器洗い機本体より漏水が外部に流れ出るのを防止することができる。
【発明を実施するための最良の形態】
【００１５】
第１の発明は、食器を収納して洗浄する洗浄槽と、前記洗浄槽を内設した食器洗い機本体と、前記洗浄槽への給水を制御し前記食器洗い機本体の外に配置された電磁給水弁と、前記食器洗い機本体内より前記電磁給水弁に通電するためのコードと、前記食器洗い機本体内に取り付けた漏水を検知する検知手段と、前記食器洗い機本体背面に固着されたホース接続具と、一端は前記電磁給水弁と水密に接続され他端は前記ホース接続具内でホースジョイント取付板部に水密に接続される給水ホースと、前記ホースジョイント取付板部に形成された雄ネジに螺合されるナット部材と、前記ナット部材と前記ホースジョイント取付板部に形成された雄ネジによって螺合されるホースジョイントと、前記ホースジョイントに水密に一端を接続され他端は前記洗浄槽と水密に接続した内部給水ホースと、前記給水ホースの外側を覆うように前記電磁給水弁と前記ホース接続具に外周を水密に取り付けられた導水管状体とを備え、前記ホースジョイント取付板部に形成された前記雄ネジの周囲に凸部を設け、前記凸部にその上面側と下面側を貫通する孔を設ける構成としたものである。
【００１６】
これにより、食器洗い機本体背面に固着されたホース接続具から外部に引き出された給水ホースの給水配管近傍に電磁給水弁を配しているので、給水時以外では電磁給水弁より下流側に水流や水圧は加わらない。更に、食器洗い機本体背面に固着されたホース接続具から電磁給水弁までの給水ホースを導水管状体内に収容しているので、食器洗い機の設置工事における作業不備に伴う原因を含めた漏水が発生した場合でも、漏水した水は導水管状体の中に溜められ、漏水量が所定量を越えると導水管状体に導かれて食器洗い機本体内に流れ落ちていくことになる。
【００１７】
さらに、もしナット部材を雄ネジに螺合する作業が不十分であったり、雄ネジやナット部材が不良で、螺合部から水漏れが発生しても、漏水はホースジョイント取付板部に設けた凸部内に溜められ、さらに漏水は凸部内に設けた孔からホース接続具内に流れ落ちていき、外周をホース接続具に水密に接続された導水管状体の中に溜められるか、漏水量が所定量を越えると導水管状体に導かれて食器洗い機本体内に流れ落ちていくことになる。食器洗い機本体内に流れ落ちた漏水は検知手段で使用者に知らせることができ、給水ホースと内部給水ホースの接続に不備があっても、導水管状体を伝わって食器洗い機本体から外部に漏水することを防止することができ、より安心な食器洗い機を実現することができる。
【００１８】
第２の発明は、上記第１の発明において、ホースジョイント取付板部を樹脂ヒンジでホース接続具と一体に構成したことにより、給水ホースと内部給水ホースを接続するホース
ジョイント取付板部をホース接続具と樹脂ヒンジによる一体構成としたことにより、必要な部品点数が削減できることから金型数も削減でき、金型に必要な材料を削減することが可能なだけでなく、条件出しや成型時などでの余分な材料の使用も削減することが可能となり省資源の面でも大いに有利なものとすることができる。
【００１９】
第３の発明は、上記第１または第２の発明において、ホース接続具の下方部分を構成する筒部を樹脂ヒンジで接続された筒部本体とカバー部で構成し、ホースジョイント取付板部に形成した孔は前記ホースジョイント取付板部より下方に突出させて設けたガイドを貫通するよう形成し、前記ガイドの下端を前記カバー部の上端より下方に位置する構成としたことにより、もしナット部材を雄ネジに螺合する作業が不十分であって、螺合部から水漏れが発生しても漏水はホースジョイント取付板部のガイドに設けた孔から流れ落ちていくことになり、ガイドの下端をホース接続具に樹脂ヒンジで形成されたカバー部上端より下方に位置していることから、漏水がホース接続具から外に流れ落ちることはなく、さらに食器洗い機から漏水が流れ出るのを防止することができる。
【００２０】
第４の発明は、上記第１〜第２のいずれかの発明において、食器洗い機本体内より電磁給水弁に通電するためのコードは、給水ホースと導水管状体との間を通し、ホースジョイント取付板部に形成した孔は、給水ホース３に対して前記コードが引き回される側と反対側に設け、前記コードの前記食器洗い機本体側への屈曲位置を前記孔の下端より上方にする構成としたことにより、もしナット部材を雄ネジに螺合する作業が不十分であって、螺合部から水漏れが発生しても、漏水はホースジョイント取付板部に設けた孔からホース接続具内に流れ落ちていくことになるのであるが、孔を電磁給水弁からのコードが引き回される側と対向する位置に設ける構成とし、コードの食器洗い機本体側への屈曲位置を孔の下端より上方にしていることから、漏水がコードにかかりコードを伝わってホース接続具より外に流れ出たり、食器洗い機から外部に漏水するのを防止することができる。
【００２１】
以下、本発明の実施の形態について、図面を参照しながら説明する。なお、従来例と同じ構成のものは、同一符号を付けてその説明を省略する。また、この実施の形態によって本発明が限定されるものではない。
【００２２】
（実施の形態１）
図１は本発明の実施の形態１における食器洗い機の構成を説明した側断面図、図２は同食器洗い機の給水ホース接続部の主要構成を説明した側断面図、図３は同食器洗い機のホース接続具の展開状態を示した正面図、図４は同食器洗い機の給水ホース接続部の接続を示す説明図である。
【００２３】
図において、食器洗い機１６は、食器洗い機本体１７内には上方に食器類２０を出し入れする開口部を有する洗浄槽１８が食器洗い機本体１７から前方に引出し可能に配設され、洗浄槽１８内には食器カゴ１９が配置されており食器カゴ１９に食器類２０を載せて洗浄することができる。食器類２０を洗浄するために、洗浄槽１８への給水を制御する電磁給水弁６が食器洗い機本体１７より外に配置され、給水配管２と接続されている。
【００２４】
電磁給水弁６の下流には給水ホース３が水密に接続され、給水ホース３はさらに食器洗い機本体背面１７ａに固着されたホース接続具２１内の上方部分に配設したホースジョイント取付板部２２及びホースジョイント１０などにより内部給水ホース９と水密に接続されている。内部給水ホース９の下流側は洗浄槽１８と水密に接続されている。食器洗い機本体底面１７ｂには漏水を検知する検知手段２３が固着されている。
【００２５】
ホース接続具２１の下方部分を構成する筒部２１ａは、樹脂ヒンジ３４で接続された筒部本体３２とカバー部３３で構成し、この筒部２１ａには、周上の一部に開口２１ｂを設
けるとともに、内周に内方に向けてフランジ部２１ｃを突出させて設けてある。
【００２６】
給水ホース３の外側を筒状に覆う導水管状体７が、一端は水密に電磁給水弁６に接続され、他端はホース接続具２１の開口２１ｂから食器洗い機本体１７内に向かって解放されている。この導水管状体７は、ホース接続具２１の筒部２１ａのフランジ部２１ｃによって下方に抜け落ちないように保持されている。電磁給水弁６には食器洗い機本体１７からホース接続具２１及び導水管状体７内を通るコード２４によって電気が供給される。
【００２７】
給水ホース３の一端は、ホースジョイント取付板部２２に形成された直管部２５に水密に接続され、ホースジョイント取付板部２２の上方には雄ネジ２６が形成され、内部給水ホース９を水密に接続したホースジョイント１０はナット部材１３に保持され、当該ナット部材１３をホースジョイント取付板部２２に形成された雄ネジ２６によって螺合することによって給水ホース３と内部給水ホース９が接続され、洗浄槽１８内に洗浄水を供給することができる。
【００２８】
また、ホースジョイント取付板部２２に形成した雄ネジ２６の周囲に凸部２７を設け、当該凸部２７内に孔２８を形成している。この孔２８は凸部２７の上面側と下面側を貫通する孔で、下面側はホース接続具２１の筒部２１ａ内に連通しており、孔２８から流れ落ちた水が導水管状体７内に導かれる位置に設けられている。
【００２９】
上記構成によれば、食器洗い機本体背面１７ａに固着されたホース接続具２１から外部に引き出された給水ホース３の給水配管４近傍に電磁給水弁６を配しているので、給水時以外では電磁給水弁６より下流側に水流や水圧は加わらない。更に食器洗い機本体背面１７ａに固着されたホース接続具２１から電磁給水弁６までの給水ホース３を導水管状体７内に収容しているので、食器洗い機１６の設置工事における作業不備に伴う原因を含めた漏水が発生した場合でも、漏水した水は導水管状体７の中に溜められ、漏水量が所定量を越えると導水管状体７に導かれてホース接続具２１から食器洗い機本体１７内に流れ落ちていくことになる。
【００３０】
また、ナット部材１３を雄ネジ２６に螺合する作業が不十分であったり、雄ネジ２６やナット部材１３が不良で、螺合部から水漏れが発生しても、漏水はホースジョイント取付板部２２に設けた凸部２７内に溜められ、さらに漏水は凸部２７内に設けた孔２８からホース接続具２１内に流れ落ちていき、外周をホース接続具２１に水密に接続された導水管状体７の中に溜められるか、漏水量が所定量を越えると導水管状体７に導かれて食器洗い機本体１７内に流れ落ちていくことになる。
【００３１】
食器洗い機本体１７内に流れ落ちた漏水は検知手段２３で使用者に知らせることができ、給水ホース３と内部給水ホース９の接続に不備があっても、導水管状体７を伝わって食器洗い機本体１７から外部に漏水することを防止することができ、見えない場所で発生する漏水による被害をなくすることが可能となる。
【００３２】
（実施の形態２）
図５（ａ）及び同図（ｂ）は、本発明の実施の形態２における食器洗い機のホースジョイント取付板部の組立て状態を示した側断面図である。図５（ａ）が組立て前を示し、同図（ｂ）が組立て後を示している。
【００３３】
図５（ａ）及び同図（ｂ）において、ホースジョイント取付板部２２は樹脂ヒンジ２９により、ホース接続具２１と一体になっている。ホースジョイント取付板部２２は組立て前には図５（ａ）に示したように給水ホース３を接続する直管部２５が横を向いた状態となっているが、食器洗い機１６の組立て時には、樹脂ヒンジ２９からホースジョイント取
付板部２２を回転させて図５（ｂ）のように直管部２５を下方に向け、給水ホース３などを取り付けることができる。回転させた後のホースジョイント取付板部２２はホース接続具２１に形成されたフック３０などによりホースジョイント取付板２２を挟持することができる。
【００３４】
給水ホース３と内部給水ホース９を接続するホースジョイント取付板部２２をホース接続具２１と樹脂ヒンジ２９による一体構成としたことにより、必要な部品点数が削減できることから金型数も削減でき、金型に必要な材料を削減することが可能なだけでなく、条件出しや成型時などでの余分な材料の使用も削減することが可能となり省資源の面でも大いに有利なものとなる。
【００３５】
（実施の形態３）
図６は本発明の実施の形態３における食器洗い機のホースジョイント取付板部を示した正面図、図７は同食器洗い機のホースジョイント取付板部の組立て状態を示した側断面図である。
【００３６】
本実施の形態では、図６及び図７に示すように、ホースジョイント取付板部２２に形成した凸部２７の内側に孔２８を形成し、当該孔２８はホースジョイント取付板部２２より下方に突出したガイド３１を貫通し、当該ガイド３１の下端３１ａをホース接続具２１に樹脂ヒンジ３４を介して形成されたカバー部３３の上端３３ａより下方に位置する構成としている。
【００３７】
ホースジョイント取付板２２は組立て前は図６のようにガイド３１が横を向いた状態となっているが、組立て時にはホースジョイント取付部２２を樹脂ヒンジ２９より回転させると、図７に示したようにガイド３１が下方に向くことになる。
【００３８】
もしナット部材１３を雄ネジ２６に螺合する作業が不十分であって、螺合部から水漏れが発生しても漏水はホースジョイント取付板部２２のガイド３１に設けた孔２８からホース接続具２１内に流れ落ちていくことになり、ガイド３１の下端３１ａをホース接続具２１に樹脂ヒンジ３４で形成されたカバー部３３の上端３３ａより下方に位置していることから、ホース接続具２１の下方部分を構成する筒部２１ａ内に確実に導くことができて漏水がホース接続具２１から外に流れ落ちることはなく、さらに確実に食器洗い機１６から漏水が流れ出るのを防止することができる。
【００３９】
（実施の形態４）
図８は、本発明の実施の形態４における食器洗い機の給水ホース接続部の構成を示した説明図である。図８において、食器洗い機本体１７内より電磁給水弁６に通電するためのコード２４は、給水ホース３と導水管状体７との間を通しており、ホースジョイント取付板部２２に形成した孔２８を、給水ホース３に対して電磁給水弁６からのコード２４が引き回される側と反対側に設け、コード２４の食器洗い機本体側への屈曲位置２４ａを孔の下端２８ａより上方にする構成としている。
【００４０】
上記構成によれば、もしナット部材１３を雄ネジ２６に螺合する作業が不十分であって、螺合部から水漏れが発生しても、漏水はホースジョイント取付板部２２に設けた孔２８からホース接続具２１内に流れ落ちていくことになるのであるが、孔２８を給水ホース３に対して電磁給水弁６からのコード２４が引き回される側と反対側に設ける構成とし、コード２４の食器洗い機本体側への屈曲位置２４ａを孔の下端２８ａより上方にしていることから、漏水がコード２４にかかり、コード２４を伝わってホース接続具２１より外に流れ出たり、食器洗い機１６から外部に漏水するのを防止することができる。
【産業上の利用可能性】
【００４１】
以上の説明の通り本発明によれば、給水ホースや内部給水ホースを食器洗い機本体の背面で接続する食器洗い機において、接続部から水漏れが発生しても、食器洗い機本体より漏水が外部に流れ出るのを防止することができ、漏水に伴なう被害を最小限に抑えることが可能となるので、洗浄槽内に設置された食器類に水道水を洗浄槽内に供給して、洗浄する食器洗い機等として有用である。。
【図面の簡単な説明】
【００４２】
【図１】本発明の第１の実施の形態における食器洗い機の構成を示した側断面図
【図２】同食器洗い機の給水ホース接続部の主要構成を示した側断面図
【図３】同食器洗い機のホース接続具の展開状態を示した正面図
【図４】同食器洗い機の給水ホース接続部の接続を示す説明図
【図５】（ａ）本発明の第２の実施の形態における食器洗い機のホースジョイント取付板部の組立て前の状態を示した側断面図（ｂ）同食器洗い機のホースジョイント取付板部の組立て後の状態を示した側断面図
【図６】本発明の第３の実施の形態における食器洗い機のホースジョイント取付板部を示した正面図
【図７】同食器洗い機のホースジョイント取付板部の組立て状態を示した側断面図
【図８】本発明の第４の実施の形態における食器洗い機の給水ホース接続部の構成を示した説明図
【図９】従来の食器洗い機の構成を示した断面図
【図１０】他の従来の食器洗い機の構成を示した断面図
【符号の説明】
【００４３】
３  給水ホース
６  電磁給水弁
７  導水管状体
９  内部給水ホース
１０  ホースジョイント
１３  ナット部材
１６  食器洗い機
１７  食器洗い機本体
１７ａ  食器洗い機本体背面
２１  ホース接続具
２１ａ  筒部
２１ｂ  開口
２１ｃ  フランジ部
２２  ホースジョイント取付板部
２３  検知手段
２４  コード
２４ａ  コードの屈曲位置
２５  直管部
２６  雄ネジ
２７  凸部
２８  孔
２８ａ  孔の下端
２９  樹脂ヒンジ
３０  フック
３１  ガイド
３１ａ  下端
３２  筒部本体
３３  カバー部
３３ａ  上端
３４  樹脂ヒンジ
【図１】
2010035677.tif 000003
【図２】
2010035677.tif 000004
【図３】
2010035677.tif 000005
【図４】
2010035677.tif 000006
【図５】
2010035677.tif 000007
【図６】
2010035677.tif 000008
【図７】
2010035677.tif 000009
【図８】
2010035677.tif 000010
【図９】
2010035677.tif 000011
【図１０】
2010035677.tif 000012